(57)【要約】【課題】トップタイプのベースコネクタを回路基板に実装する際、ベースコネクタの上面に仮止めされたテープを吸引部材で吸引することにより、ベースコネクタを吸引部材と一体的に移動できるようにし、この吸引部材を操作してベースコネクタを回路基板の表面まで運んでいた。テープの仮止め作業、剥がし作業が必要で、且つ、テープが廃棄物となってしまう。【解決手段】ベースコネクタ２のベースハウジング６の前壁９の前面９ａに中央凸部４４が形成されている。前壁９の上面９ｂは、中央凸部４４の上面４４ｂを含み前後方向Ｘに相対的に幅広な幅広部５１を含んでいる。幅広部５１に、吸引部材により吸着可能な平坦な被吸着面４１が形成されている。【選択図】図３
2008243779.tif 000002
【特許請求の範囲】
【請求項１】
絶縁性のベースハウジングと、そのベースハウジングに保持された複数のベースコンタクトと、を備え、
上記ベースハウジングは、回路基板と対向する底壁と、前壁と、後壁と、一対の側壁と、を含み、
上記前壁は、その前面の左右方向の中央部に形成され前方に突出する中央凸部と、この中央凸部を挟んだ両側で前壁の前面に形成された一対の凹部と、を含み、
中央凸部の上面を含む前壁の上面が、面一な平坦面に形成され、
前壁の上面は、中央凸部の上面を含み前後方向に相対的に幅広な幅広部と、一対の凹部の位置に対応し前後方向に相対的に幅狭な一対の幅狭部と、を有し、
上記幅広部に、吸引部材により吸着可能な平坦な被吸着面が形成されていることを特徴とするベースコネクタ。
【請求項２】
請求項１において、上記一対の凹部のそれぞれに、相手方のコネクタに対する連結状態をロックするために相手方のコネクタのロック爪に係合する係合部が設けられているベースコネクタ。
【請求項３】
請求項２において、上記前壁は、その前面の左右方向の一対の端部に上下方向に延びるように形成され前方に突出する一対のリブを有し、
各上記係合部は、中央凸部および対応するリブを連結する凸条を含むベースコネクタ。
【請求項４】
請求項１〜３の何れか１項において、各上記ベースコンタクトは、回路基板の表面に実装されるベースコネクタ。
【請求項５】
請求項２〜４の何れか１項に記載のベースコネクタと対をなすソケットコネクタであって、
上記ベースハウジングと結合可能な絶縁性のソケットハウジングと、ソケットハウジングにより保持され、上記ベースコンタクトと接続可能なソケットコンタクトと、を備え、
ソケットハウジングの前壁の前面に突出形成された支持部と、この支持部によって支持される揺動操作可能な揺動板と、を含み、
この揺動板に、上記ベースハウジングの上記前壁の前面に形成された上記凹部の上記係合部に係合可能なロック爪が設けられ、
上記ソケットハウジングの前壁は、上記支持部の基端部に対して前後方向に対向する中空部を形成していることを特徴とするソケットコネクタ。
【請求項６】
請求項５において、単一の揺動板に一対のロック爪が設けられ、各ロック爪が、ベースコネクタの対応する係合部に係合するソケットコネクタ。
【請求項７】
請求項５または６において、上記ソケットハウジングの前壁に、コネクタ連結方向およびその反対方向の少なくとも一方に開放する挿通孔が形成され、この挿通孔によって上記中空部が構成されているソケットコネクタ。
【発明の詳細な説明】
【技術分野】
【０００１】
この発明は、ベースコネクタおよびこれと対をなすソケットコネクタに関する。
【背景技術】
【０００２】
回路基板と電子・電気機器とを電気的に接続する電気コネクタには、回路基板の表面に固定される第１のコネクタと、電子・電気機器から延びるリード線に設けられ、第１のコネクタに差し込まれる第２のコネクタとを含むものがある（例えば、特許文献１参照）。
【特許文献１】特開２００５−２６１５６号公報
【発明の開示】
【発明が解決しようとする課題】
【０００３】
第１のコネクタには、特許文献１のように差込口が回路基板の表面と平行な方向に開放されたいわゆるサイドタイプのものや、差込口が回路基板の上方を向くように開放されたいわゆるトップタイプのものがある。
ところで、第１のコネクタを回路基板に実装する際に、吸引ノズルを用いる場合がある。具体的には、第１のコネクタの上面を吸引ノズルで吸着した状態で、第１のコネクタを梱包箱から引き上げ、引き上げた第１のコネクタを回路基板の所定の配置場所まで運び、第１のコネクタが所定の配置場所に配置された状態で、第１のコネクタから吸引ノズルを離す。
【０００４】
しかしながら、第１のコネクタがトップタイプの場合、第１のコネクタの上面側に差込口が開放されていることから、上面の面積が少なく、吸引のための十分な面積を確保し難い。
そこで、予め、第１のコネクタの上面の全面にテープを貼っておき、吸引のための面積を十分に確保した状態で第１のコネクタを吸引することが考えられる。しかしながら、この場合、テープを第１のコネクタに取り付ける作業と、第１のコネクタを回路基板に実装した後にテープを剥がす作業とが必要であり、手間である。また、テープが廃棄物となってしまう。
【０００５】
この発明は、かかる背景のもとでなされたもので、吸引部材による吸引力を十分に確保しつつ、回路基板への実装に係る手間を低減することができ、且つ廃棄物を少なくできるベースコネクタおよびこれと対をなすソケットコネクタを提供することを目的とする。
【課題を解決するための手段】
【０００６】
上記の目的を達成するための請求項１記載の発明は、絶縁性のベースハウジングと、そのベースハウジングに保持された複数のベースコンタクトと、を備え、上記ベースハウジングは、回路基板と対向する底壁と、前壁と、後壁と、一対の側壁と、を含み、上記前壁は、その前面の左右方向の中央部に形成され前方に突出する中央凸部と、この中央凸部を挟んだ両側で前壁の前面に形成された一対の凹部と、を含み、中央凸部の上面を含む前壁の上面が、面一な平坦面に形成され、前壁の上面は、中央凸部の上面を含み前後方向に相対的に幅広な幅広部と、一対の凹部の位置に対応し前後方向に相対的に幅狭な一対の幅狭部と、を有し、上記幅広部に、吸引部材により吸着可能な平坦な被吸着面が形成されていることを特徴とするベースコネクタである。
【０００７】
本発明によれば、被吸着面が幅広部に形成されていることにより、被吸着面の面積を十分に確保できる。さらに、被吸着面が平坦であることから、吸引部材との密着性を高くできる。その結果、吸引部材がベースハウジングを吸引する際の吸引力を十分に高くできる。また、ベースハウジングを吸引する際の吸引力を増すために、ベースハウジングの上面にテープ等の被吸引部材を仮装着すること等によって吸引のための面を確保する必要がない。これにより、被吸引部材の装着作業および取外し作業を廃止でき、さらには被吸引部材そのものを廃止できる。ベースコネクタの実装に係る手間を格段に低減でき、且つ、廃棄物を少なくできる。
【０００８】
請求項２記載の発明は、請求項１において、上記一対の凹部のそれぞれに、相手方のコネクタに対する連結状態をロックするために相手方のコネクタのロック爪に係合する係合部が設けられているベースコネクタである。本発明によれば、係合部が中央凸部の前方に突出しないようにでき、ベースコネクタの前後方向の厚みを薄くできる。
請求項３記載の発明は、請求項２において、上記前壁は、その前面の左右方向の一対の端部に上下方向に延びるように形成され前方に突出する一対のリブを有し、各上記係合部は、中央凸部および対応するリブを連結する凸条を含むベースコネクタである。本発明によれば、中央凸部と対応するリブとを凸条で連結することにより、前壁の強度を高めることができる。係合部を補強部材として用いることができる。
【０００９】
請求項４記載の発明は、請求項１〜３の何れか１項において、各上記ベースコンタクトは、回路基板の表面に実装されるベースコネクタである。本発明によれば、ベースコネクタを吸引する吸引部材を操作することにより、ベースコネクタを回路基板の表面に載置することができ、これにより、ベースコンタクトと回路基板との接続が可能となる。
請求項５記載の発明は、請求項２〜４の何れか１項に記載のベースコネクタと対をなすソケットコネクタであって、上記ベースハウジングと結合可能な絶縁性のソケットハウジングと、ソケットハウジングにより保持され、上記ベースコンタクトと接続可能なソケットコンタクトと、を備え、ソケットハウジングの前壁の前面に突出形成された支持部と、この支持部によって支持される揺動操作可能な揺動板と、を含み、この揺動板に、上記ベースハウジングの上記前壁の前面に形成された上記凹部の上記係合部に係合可能なロック爪が設けられ、上記ソケットハウジングの前壁は、上記支持部の基端部に対して前後方向に対向する中空部を形成していることを特徴とするソケットコネクタである。
【００１０】
本発明によれば、揺動板を操作することにより揺動板を揺動させたとき、前壁のうち支持部を支持している部分が弾性的に撓んで凹むことができる。これにより、支持部に作用する力を前壁に分散させることができ、支持部に応力集中が生じることを抑制できる。支持部のへたり（疲労）を抑制できる。その結果、支持部に支持された揺動板のロック爪と係合部との係合力が低下してしまうことを抑制できる。
【００１１】
請求項６記載の発明は、請求項５において、単一の揺動板に一対のロック爪が設けられ、各ロック爪が、ベースコネクタの対応する係合部に係合するソケットコネクタである。本発明によれば、一対のロック爪が一体的に動作するようにされている結果、一対のロック爪のそれぞれを、対応する係合部に一括して係合させることができる。ロックに係る手間を低減できるとともに、片一方のロック爪のみがロックされる片係りを防止できる。
【００１２】
請求項７記載の発明は、請求項５または６において、上記ソケットハウジングの前壁に、コネクタ連結方向およびその反対方向の少なくとも一方に開放する挿通孔が形成され、この挿通孔によって上記中空部が構成されているソケットコネクタである。本発明によれば、前壁に挿通孔を設ける簡易な構成により、中空部を設けることができる。
【発明を実施するための最良の形態】
【００１３】
以下には、図面を参照して、この発明の実施形態について具体的に説明する。
図１は、本発明の一実施の形態にかかるベースコネクタ２およびソケットコネクタ３を備える電気コネクタ１の断面図であり、ベースコネクタ２およびソケットコネクタ３が互いに結合された状態を示している。図２は、電気コネクタ１の断面図であり、ベースコネクタ２およびソケットコネクタ３の結合が解除された状態を示している。
【００１４】
図１を参照して、電気コネクタ１は、回路基板４と、リード線５が接続された電子機器または電気機器（図示せず）とを電気的に接続するためのものであり、ベースコネクタ２と、このベースコネクタ２と対をなす相手側コネクタとしてのソケットコネクタ３と、を備えている。
図２および図３（Ａ）を参照して、ベースコネクタ２は、回路基板４の表面４ａに実装されるものであり、ベースハウジング６と、ベースハウジング６に保持された複数のベースコンタクト７と、を含んでいる。
【００１５】
ベースハウジング６は、合成樹脂を用いて形成された絶縁性の部材であり、全体が単一の部材を用いて一体に形成されている。このベースハウジング６は、底壁８と、前壁９と、後壁１０と、一対の側壁１１，１２と、を有している。
なお、以下では、前壁９および後壁１０が相対向する方向に平行な方向を前後方向Ｘといい、一対の側壁１１，１２が相対向する方向に平行な方向を左右方向Ｙといい、前後方向Ｘおよび左右方向Ｙの双方に直交する方向を上下方向Ｚという。
【００１６】
ベースコネクタ２は、左右方向Ｙに対称な形状をなしている。ベースハウジング６は、例えば、左右方向Ｙに相対的に長く形成され、前後方向Ｘに相対的に短く形成されている。底壁８は、回路基板４の表面４ａと相対向している。
前壁９および後壁１０は、それぞれ、矩形形状に形成されており、互いに平行に並んでいる。前壁９の肉厚が相対的に厚く、後壁１０の肉厚が相対的に薄い。一対の側壁１１，１２は、互いに平行に並んでいる。
【００１７】
上記底壁８、前壁９、後壁１０および一対の側壁１１，１２によって、上方に開放された挿入凹部１３が区画されている。挿入凹部１３には、ソケットコネクタ３の後述する挿入凸部３１を挿入可能である。この挿入凹部１３に、複数のベースコンタクト７がそれぞれ収容されている。これらのベースコンタクト７は、左右方向Ｙに沿って横並びに整列されている。
【００１８】
ベースコンタクト７は、金属の導電部材をプレス加工してなる板金部材であり、全体が単一の部材を用いて一体に形成されている。このベースコンタクト７は、断面略Ｕ字形形状をなしており、上下方向Ｚに延びる一対のタブ１４，１５と、一対のタブ１４，１５の基端部同士を連結する連結部１６と、連結部１６から延設された舌片１７と、を有している。
【００１９】
一対のタブ１４，１５の先端部間の距離は、基端部間の距離に比べて短くされている。図１に示すように、一対のタブ１４，１５のそれぞれの先端部が、ソケットコネクタ３の後述するソケットコンタクト２６と接触したときに接触部１８，１９を形成するようになっている。
図２および図３（Ｃ）を参照して、ベースコンタクト７の一対のタブ１４，１５は、底壁８の対応する挿通孔２１，２２をそれぞれ挿通した状態で、挿入凹部１３内に収容されている。一方のタブ１４の基端部は、挿通孔２１に圧入固定されている。
【００２０】
ベースコンタクト７の舌片１７は、ベースハウジング６の後壁１０から突出しており、回路基板４の表面４ａの導体パターン２３に接触している。舌片１７と導体パターン２３とは、クリーム半田等を用いて半田付けされており、互いに電気的に接続されている。このようにして、ベースコンタクト７が回路基板４の表面４ａに実装されている。
図２を参照して、ソケットコネクタ３は、左右方向Ｙに対称な形状をなしており、ソケットハウジング２５と、ソケットハウジング２５に保持された複数のソケットコンタクト２６と、を含んでいる。
【００２１】
図２、図４（Ａ）および図４（Ｂ）を参照して、ソケットハウジング２５は、合成樹脂を用いて形成された絶縁性の部材であり、全体が単一の部材を用いて一体に形成されている。ソケットハウジング２５と、ベースハウジング６とは、解除可能にロックされるようになっている。
ソケットハウジング２５は、前壁２７と、後壁２８と、一対の側壁２９，３０と、挿入凸部３１と、を有している。前壁２７および後壁２８は、それぞれ、略矩形形状に形成されて、互いに平行に並んでいる。これら前壁２７および後壁２８は、前後方向Ｘに相対向している。一対の側壁２９，３０は、左右方向Ｙに相対向している。
【００２２】
挿入凸部３１は、前壁２７、後壁２８および一対の側壁２９，３０に対して、下方に延びており、ベースハウジング６の挿入凹部１３に挿入されるようになっている。
このソケットハウジング２５には、ソケットコンタクト２６を収容するための収容空間３２が、左右方向Ｙに沿って複数区画されている。各収容空間３２は、ソケットハウジング２５の前壁２７と後壁２８との間に区画されており、且つ挿入凸部３１側に延びている。各収容空間３２に、対応するソケットコンタクト２６がそれぞれ挿入されている。
【００２３】
図２を参照して、ソケットコンタクト２６は、金属の導電部材をプレス加工してなる板金部材であり、全体が単一の部材を用いて一体に形成されている。このソケットコンタクト２６は、上下方向Ｚに細長く形成されている。ソケットコンタクト２６の中間部に設けられたかしめ部３３は、リード線５の一端に圧接されることにより、このリード線５に電気的に接続されている。
【００２４】
ソケットコンタクト２６は、ベースコンタクト７と接触するための弾性片部３４を含んでいる。弾性片部３４は、かしめ部３３から延設された第１の部分３５と、第１の部分３５から折り返された第２の部分３６と、を含んでいる。
図１に示すように、第１および第２の部分３５，３６は、ベースコンタクト７の一対のタブ１４，１５の対応する接触部１８，１９に接触する接触部３７，３８をそれぞれ形成するようになっている。ソケットコンタクト２６とベースコンタクト７との接触により、両者が電気的に接続される。
【００２５】
図２を参照して、弾性片部３４から突出した抜け止め突起３９が後壁２８の下端に受けられている。また、挿入凸部３１の先端部３１ａが、ソケットコンタクト２６の一端に近接して配置されている。これにより、ソケットコンタクト２６がソケットハウジング２５の収容空間３２から抜けないようにされている。
図２および図３（Ｂ）を参照して、ベースハウジング６が回路基板４に実装される際、このベースハウジング６は、例えば、後述する吸引部材によって吸引された状態で、この吸引部材の移動に伴って回路基板４上に運ばれ、次いで、回路基板４に載置される。
【００２６】
本実施の形態の特徴の１つは、ベースハウジング６に、吸引部材によって吸引可能な平坦な被吸着面４１を設けるとともにこの被吸着面４１の面積を可及的に大きくし、且つ、ベースハウジング６とソケットハウジング２５とを互いに解除可能にロックするためのロック機構４２をコンパクトな構成にしている点にある。
具体的には、ベースハウジング６は、その前壁９の前面９ａに形成され前方に突出する中央凸部４４と、この中央凸部４４を挟んだ左右方向Ｙの両側で前壁９の前面９ａに形成された一対の凹部４５，４６と、を含んでいる。
【００２７】
中央凸部４４は、左右方向Ｙに関する前面９ａの中央部に配置されており、左右方向Ｙに長く延びている。
一対の凹部４５，４６は、それぞれ、中央凸部４４に隣接している。各凹部４５，４６の深さは、例えば、前壁９の肉厚の略半分に設定されている。左右方向Ｙに関して、中央凸部４４は、各凹部４５，４６よりも長い。
【００２８】
左右方向Ｙに関して、前壁９の前面９ａの一対の端部には、上下方向Ｚに延び、且つ前方に突出する一対のリブ４９，５０が形成されている。一対のリブ４９，５０の前面４９ａ，５０ａと中央凸部４４の前面４４ａは、互いに面一な平坦面とされている。
前壁９の上面９ｂは、全体が面一な平坦面に形成されている。これにより、中央凸部４４の上面４４ｂ、一対の凹部４５，４６の位置に対応する部分の上面４５ｂ，４６ｂ、および一対のリブ４９，５０の上面４９ｂ，５０ｂは、面一である。また、前壁９、後壁１０および一対の側壁１１，１２のそれぞれの上面９ｂ，１０ｂ，１１ｂ，１２ｂは、互いに面一な平坦面とされている。
【００２９】
上記の構成により、前壁９の上面９ｂは、中央凸部４４の上面４４ｂを含み前後方向Ｘに相対的に幅広な矩形形状の幅広部５１と、一対の凹部４５，４６の位置に対応し前後方向Ｘに相対的に幅狭な矩形形状の一対の幅狭部５２，５３と、を有している。このうちの幅広部５１に、上記被吸着面４１が形成されている。
図２、図３（Ｂ）および図４（Ａ）を参照して、ロック機構４２は、ソケットハウジング２５に設けられた一対のロック爪５４，５５と、ベースハウジング６に設けられ、対応するロック爪５５，５４に係合するための係合部としての一対の凸条５６，５７と、を含んでいる。
【００３０】
一対の凸条５６，５７は、ベースハウジング６の対応する凹部４５，４６内にそれぞれ配置されており、中央凸部４４と対応するリブ４９，５０とをそれぞれ連結する補強部を構成している。各凸条５６，５７は、互いに同様の形状をなしている。図２を参照して、各凸条５６，５７の上面５６ｂ，５７ｂ（図２において上面５７ｂのみを図示）は、対応する凹部４５，４６の底部に対する傾斜角θが例えば０°より大きく且つ９０°以下の範囲に設定される。
【００３１】
傾斜角θを０°より大きくすることにより、各凸条５６，５７を形成することができる。また、傾斜角θを９０°以下にすることにより、各上面５６ｂ，５７ｂと対応するロック爪５５，５４との摺動を滑らかにすることができる。
傾斜角θは、２０°〜９０°の範囲に設定されることが好ましい。傾斜角θを２０°以上にすることで、各凸条５６，５７の高さを十分確保できることから、各凸条５６，５７に、対応するロック爪５５，５４を確実に係合することができ、両者間で十分な係合力を発揮して確実なロックを達成できる。
【００３２】
傾斜角θは、３０°〜７０°の範囲に設定されることがより好ましい。このように設定することにより、各上面５６ｂ，５７ｂと対応するロック爪５５，５４とが係合するときの抵抗を、弱すぎず且つ強すぎない値にでき、その結果、係合のときに適度な手ごたえを作業者に与えることができる。
以上より、傾斜角θの下限は０°より大きい値に設定され、好ましくは２０°に設定され、より好ましくは３０°に設定される。また、傾斜角θの上限は９０°に設定され、好ましくは７０°に設定される。
【００３３】
図２および図４（Ａ）を参照して、一対のロック爪５４，５５は、揺動板５８に設けられている。揺動板５８は、ソケットハウジング２５の前壁２７の前面２７ａに突出形成された支持部５９によって支持されている。
図２および図４（Ｃ）を参照して、支持部５９は、左右方向Ｙに所定の間隔をあけて複数設けられている。本実施の形態において、支持部５９は、例えば、４箇所に設けられている。上下方向Ｚに関して、各支持部５９は、前壁２７の前面２７ａよりも短く形成されている。
【００３４】
揺動板５８は、単一の部材を用いて矩形の板状に形成されており、支持部５９の先端を支点として揺動操作され得る。
上下方向Ｚに関して、揺動板５８の中間部に支持部５９の先端が接続されており、揺動板５８の下端に一対のロック爪５４，５５が接続されている。
各ロック爪５４，５５は、揺動板５８に対して、挿入凸部３１側に向かって突出している。これにより、前後方向Ｘに関する各ロック爪５４，５５と挿入凸部３１との間の距離Ｂが短いものとなっている。
【００３５】
ソケットハウジング２５の前壁２７には、支持部５９の基端部に対して前後方向Ｘに対向する中空部６１が形成されている。中空部６１は、前壁２７による支持部５９の支持の剛性が過度に高くなることを防止するものであり、各支持部５９に対応して、例えば４箇所に設けられている。
本実施の形態において、左右方向Ｙに関して、各支持部５９は、対応する中空部６１の一端寄りに配置されている。なお、左右方向Ｙに関して、各支持部５９は、対応する中空部６１の中央に配置されていてもよい。
【００３６】
各ベースハウジング６は、ソケットハウジング２５の前壁２７に、コネクタ連結方向Ａ１およびその反対方向Ａ２の少なくとも一方に開放する挿通孔を形成することにより構成されている。本実施の形態において、各上記中空部６１は、ソケットハウジング２５の前壁２７に、コネクタ連結方向Ａ１に開放する挿通孔を形成することにより構成されている。
【００３７】
図５（Ａ）および図５（Ｂ）を参照して、ソケットハウジング２５の左右の一対の側壁２９，３０には、前方に突出する突起６２，６３がそれぞれ形成されている。各突起６２，６３は、ベースハウジング６へのソケットハウジング２５の嵌合が完了したことを確認するためのものであり、前面６２ａ，６３ａと、左右方向Ｙの外側を向く一側面６２ｂ，６３ｂと、下面６２ｃ，６３ｃと、を含んでいる。
【００３８】
ベースハウジング６へのソケットハウジング２５の嵌合が完了したとき、各突起６２，６３の下面６２ｃ，６３ｃは、ベースハウジング６の対応するリブ５０，４９の上面５０ｂ，４９ｂと当接するようになっている。このとき、各突起６２，６３の前面６２ａ，６３ａと、ベースハウジング６の対応するリブ５０，４９の前面５０ａ，４９ａとは面一に並ぶ。さらに、各突起６２，６３の一側面６２ｂ，６３ｂと、ベースハウジング６の対応するリブ５０，４９の一側面５０ｃ，４９ｃとは、面一に並ぶ。各リード線５の一部は、例えば、左右方向Ｙの一方に曲げられた状態で電子機器または電気機器に接続される。
【００３９】
以上の概略構成を有する電気コネクタ１において、ベースコネクタ２とソケットコネクタ３との結合は、以下のようにして行われる。すなわち、まず、図２に示すように、回路基板４を水平に配置した状態で、ソケットコネクタ３をベースコネクタ２に対向する。この状態から、図６に示すように、ソケットコネクタ３の挿入凸部３１を、ベースコネクタ２の挿入凹部１３に挿入する。このとき、ソケットコネクタ３の各ロック爪５４，５５が対応する凸条５７，５６に係合することで、揺動板５８が支持部５９の先端を支点に揺動され、各ロック爪５４，５５は、挿入凸部３１から離れるように移動する。ソケットコネクタ３の各ロック爪５４，５５は、対応する凸条５７，５６を乗り越えつつ、下方に移動する。
【００４０】
このとき、各凸条５７，５６から対応するロック爪５４，５５に伝わった力は、揺動板５８および支持部５９を介してソケットハウジング２５の前壁２７に伝わる。これにより、図７に示すように、前壁２７の一部が、中空部６１側へ撓む。これにより、前壁２７が波形に弾性変形し、支持部５９全体が変位することとなる。
そして、ソケットコネクタ３をさらに下に押し込んだ後、図１に示すように、各ロック爪５４，５５が対応する凸条５７，５６に係合する。これにより、ロック機構４２によるロックが達成された状態となる。すなわち、ベースコネクタ２とソケットコネクタ３との互いの連結状態がロックされる。
【００４１】
このとき、ソケットコンタクト２６の弾性片部３４の接触部３７，３８と、ベースコンタクト７の一対のタブ１４，１５の対応する接触部１８，１９とがそれぞれ接触する。
なお、ベースコネクタ２からソケットコネクタ３を外す際には、作業者が指でソケットハウジング２５を摘み、上下方向Ｚに関する揺動板５８の後端を押圧することにより、揺動板５８を支持部５９の回りに揺動させる。これにより、各ロック爪５４，５５と対応する凸条５７，５６との係合を解除し、その状態でソケットコネクタ３をベースコネクタ２から引き上げる。
【００４２】
また、回路基板４へのベースコネクタ２の実装は、以下のようにして行われる。すなわち、まず、図８（Ａ）を参照して、帯状に形成されたエンボステープ７０に収容されたベースコネクタ２を、吸引部材７１を用いて取り出す。具体的には、エンボステープ７０には、複数の収容室７２が設けられており、各収容室７２のそれぞれにベースコネクタ２が収容されている。収容室７２は、上方に開放された箱形形状に形成されている。
【００４３】
エンボステープ７０の上面を覆うカバーテープ（図示せず）が剥がされた状態で、吸引部材７１の吸引ノズル７１ａの先端の少なくとも一部を、ベースハウジング６の被吸着面４１に当接させる。エンボステープ７０の収容室７２には、吸引ノズル７１ａを導入するための逃がし部７３が設けられている。
吸引ノズル７１ａの先端の少なくとも一部をベースハウジング６の被吸着面４１に当接させた状態で、吸引ノズル７１ａ内に所定の負圧を生じさせる。負圧を生じた状態で、図８（Ｂ）に示すように吸引ノズル７１ａを引き上げることにより、ベースコネクタ２をエンボステープ７０から引き上げる。
【００４４】
エンボステープ７０から引き上げられたベースコネクタ２は、吸引ノズル７１ａを移動することにより、図８（Ｃ）に示すように、回路基板４の表面４ａの上方に搬送する。次いで、図８（Ｄ）に示すように、吸引ノズル７１ａを下方に移動することにより、ベースコネクタ２を回路基板４の表面４ａに載置する。
ベースコネクタ２が回路基板４の表面４ａに載置された後、吸引ノズル７１ａ内の負圧状態を解消した状態で、図８（Ｅ）に示すように、吸引ノズル７１ａを上方に引き上げることにより、吸引ノズル７１ａと被吸着面４１との接触が解除される。
【００４５】
回路基板４に載置されたベースコンタクト７の舌片１７と、導体パターン２３とは、回路基板４に予め塗布されたクリーム半田をリフローすることにより、互いに結合される。
以上説明したように、本実施の形態によれば、ベースコネクタ２の被吸着面４１が幅広部５１に形成されている。これにより、被吸着面４１の面積を十分に確保できる。さらに、被吸着面４１が平坦であることから、吸引ノズル７１ａの先端との密着性を高くできる。その結果、吸引部材７１がベースハウジング６を吸引する際の吸引力を十分に高くできる。
【００４６】
また、ベースハウジング６を吸引する際の吸引力を増すために、ベースハウジング６の上面にテープ等の被吸引部材を仮装着することによって吸引のための面を確保する必要がない。
これにより、被吸引部材の装着作業および取外し作業を廃止でき、さらには被吸引部材そのものを廃止できる。ベースコネクタ２の実装に係る手間を格段に低減でき、且つ、廃棄物を少なくできる。
【００４７】
また、ベースハウジング６の一対の凹部４５，４６に配置された各凸条５６，５７が、ソケットコネクタ３の対応するロック爪５５，５４にそれぞれ係合するようになっている。これにより、各凸条５６，５７が中央凸部４４の前方に突出しないようにでき、ベースコネクタ２の前後方向Ｘの厚みを薄くできる。
さらに、ベースハウジング６の中央凸部４４と対応するリブ４９，５０とを一対の凸条５６，５７で連結していることにより、ベースハウジング６の前壁８の強度を高めることができる。凸条５６，５７を補強部材として用いることができる。
【００４８】
また、ベースコネクタ２を吸引する吸引部材７１を操作することにより、ベースコネクタ２を回路基板４の表面４ａに載置することができ、これにより、ベースコンタクト７と回路基板４との電気的な接続が可能となる。
さらに、ソケットコネクタ３の揺動板５８を操作することによりこの揺動板５８を揺動させたとき、ソケットハウジング２５の前壁２７のうち、支持部５９を支持している部分が弾性的に撓んで凹むことができる。これにより、支持部５９に作用する力を前壁２７に分散することができ、支持部５９に応力集中が生じることを抑制できる。支持部５９のへたり（疲労）を抑制できる。その結果、支持部５９に支持された揺動板５８のロック爪５４，５５と対応する凸条５７，５６との係合力が低下してしまうことを長期に亘って抑制できる。
【００４９】
また、一対のロック爪５４，５５が一体的に動作するようにされている結果、一対のロック爪５４，５５のそれぞれを、対応する凸条５７，５６に一括して係合させることができる。ロックに係る手間を低減できるとともに、片一方のロック爪５４または５５のみがロックされる片係りを防止できる。
さらに、ソケットハウジング２５の前壁２７に挿通孔を設ける簡易な構成により、中空部６１を設けることができる。
【００５０】
また、前後方向Ｘに関して、ロック爪５４，５５と挿入凸部３１との間の距離Ｂが短くされている。例えば、各ロック爪５４，５５と対応する凸条５７，５６とが係合しているときに、リード線５が引っ張られることに起因して、ソケットハウジング２５に上向きの引張力が作用することがある。この引張力により、挿入凸部３１がロック爪５４，５５の回りに回動しようとするモーメントが生じたときでも、このモーメントのアーム長（距離Ｂ）は短いことから、このモーメントを小さくできる。その結果、挿入凸部３１が挿入凹部１３から不用意に引き抜かれてしまうことをより確実に防止できる。
【００５１】
さらに、例えば、回路基板４が収容される筐体のレイアウト上、各リード線５の一部が左右方向Ｙの一方に曲げられた状態で配置されることがある。この場合には、リード線５に引っ張り力が作用したときに、ソケットハウジング２５には、左右方向Ｙの一方側を支点とし、他方側を作用点とするモーメントが生じる。しかしながら、一対のロック爪５４，５５が、左右方向Ｙに関して十分に離隔して配置されていることから、一対のロック爪５４，５５と対応する凸条５７，５６との係合により、このモーメントに十分に抗することができる。その結果、ソケットハウジング２５がベースハウジング６から抜けてしまうことをより確実に防止できる。
【００５２】
この発明は、以上の実施形態の内容に限定されるものではなく、請求項記載の範囲内において種々の変更が可能である。
例えば、図９に示すように、ソケットハウジング２５の前壁２７に、コネクタ連結方向Ａ１の反対方向Ａ２に開放する挿通孔を形成することにより、中空部６１Ａを構成してもよい。また、図１０に示すように、ソケットハウジング２５の前壁２７に、コネクタ連結方向Ａ１およびその反対方向Ａ２の双方に開放する挿通孔を形成することにより、中空部６１Ｂを構成してもよい。
【００５３】
また、本発明は、表面実装タイプのベースコネクタに限らず、ディップタイプのベースコネクタに適用することができる。
【図面の簡単な説明】
【００５４】
【図１】本発明の一実施の形態にかかるベースコネクタおよびソケットコネクタを備える電気コネクタの断面図であり、ベースコネクタおよびソケットコネクタが互いに結合された状態を示している。
【図２】電気コネクタの断面図であり、ベースコネクタおよびソケットコネクタの結合が解除された状態を示している。
【図３】（Ａ）および（Ｂ）は、それぞれ、ベースコネクタの斜視図であり、（Ｃ）は、ベースコネクタの平面図である。
【図４】（Ａ）は、ソケットハウジングの斜視図であり、（Ｂ）は、ソケットハウジングの側面図であり、（Ｃ）は、図２のＩＶＣ−ＩＶＣ線に沿う要部の断面図である。
【図５】（Ａ）および（Ｂ）は、それぞれ、電気コネクタの側面図であり、ベースコネクタおよびソケットコネクタの結合が解除された状態を示している。
【図６】ソケットコネクタをベースコネクタに結合する作業について説明するための断面図であり、揺動板を揺動した状態を示している。
【図７】図６のＶＩＩ−ＶＩＩ線に沿う要部の断面図である。
【図８】ベースコネクタを回路基板の表面に実装する工程を説明するための断面図であり、（Ａ）は、ベースコネクタがエンボステープに収容された状態を示しており、（Ｂ）は、ベースコネクタが吸引部材によって引き上げられた状態を示しており、（Ｃ）は、ベースコネクタが回路基板の上方に運ばれた状態を示しており、（Ｄ）は、ベースコネクタが回路基板の表面に載置された状態を示しており、（Ｅ）は、吸引部材がベースコネクタから離隔した状態を示している。
【図９】本発明の別の実施の形態の要部の断面図である。
【図１０】本発明のさらに別の実施の形態の要部の断面図である。
【符号の説明】
【００５５】
２  ベースコネクタ
３  ソケットコネクタ（相手方のコネクタ）
４  回路基板
４ａ  （回路基板の）表面
６  ベースハウジング
７  ベースコンタクト
８  （ベースハウジングの）底壁
９  （ベースハウジングの）前壁
９ａ  （前壁の）前面
９ｂ  （前壁の）上面
１０  （ベースハウジングの）  後壁
１１，１２  （ベースハウジングの）側壁
２５  ソケットハウジング
２６  ソケットコンタクト
２７  （ソケットハウジングの）前壁
２７ａ  （前壁の）前面
４１  被吸着面
４４  中央凸部
４４ｂ  （中央凸部の）上面
４５，４６  凹部
４９，５０  リブ
５１  幅広部
５２，５３  幅狭部
５４，５５  ロック爪
５６，５７  凸条（係合部）
５８  揺動板
５９  支持部
６１，６１Ａ，６１Ｂ  中空部
７１  吸引部材
Ａ１  コネクタ連結方向
Ａ２  反対方向
Ｘ  前後方向
Ｙ  左右方向
Ｚ  上下方向
【図１】
2008243779.tif 000003
【図２】
2008243779.tif 000004
【図３】
2008243779.tif 000005
【図４】
2008243779.tif 000006
【図５】
2008243779.tif 000007
【図６】
2008243779.tif 000008
【図７】
2008243779.tif 000009
【図８】
2008243779.tif 000010
【図９】
2008243779.tif 000011
【図１０】
2008243779.tif 000012